(57)【要約】      （修正有）【課題】自動伸縮式多層テントを提供する。【解決手段】二つのガイドレール１０、スライド式遮蔽シートユニット２０と駆動ユニット３０を備えてなり、二つのガイドレールは挿入口１１付きのガイド溝１２及びガイド溝の上下部にある上引っ掛け部１３と下引っ掛け部１４を備え、スライド式遮蔽シートユニットは複数の凹面型シート２１と凸面型シート２２を備え、凹、凸面型シートはどれも、二つの掛合折曲縁２１３と一つの板面２１５があり、凹、凸面型シートとの間は、相互に対応した掛合折曲縁によって掛かり合い連動するようになっており、凹、凸面型シートの対向した両側にはどれも、スライド側２１７があり、それぞれ、二つのガイドレールの挿入口から挿入され、ガイド溝をスライドするように設けられ、凹面型シートのスライド側には、下引っ掛け部を引っ掛けるために延ばされた下フック２１９、凸面型シートのスライド側には、上引っ掛け部を引っ掛けるための上フック２２９が設けられる。【選択図】図２
0003204697.tif 000002
【実用新案登録請求の範囲】
【請求項１】
二つのガイドレール、該二つのガイドレールの間に対してスライド可能に取り付けられたスライド式遮蔽シートユニット及び駆動ユニットを備えてなり、
該二つのガイドレールは、挿入口付きの少なくとも一つのガイド溝、及びそれぞれ、該ガイド溝の上下部にある上引っ掛け部と下引っ掛け部を備えてなり、
該スライド式遮蔽シートユニットは、複数の凹面型シートと凸面型シートを備えてなり、該凹面型シートと凸面型シートはどれも、二つの掛合折曲縁、及び二つの掛合折曲縁の間にある一つの板面があり、該凹面型シートと凸面型シートとの間は、二者の対応した掛合折曲縁によって、相互に掛かり合い、連動するようになっており、凹面型シートと凸面型シートの対向した両側にはどれも、スライド側があり、それぞれ、二つのガイドレールの挿入口から挿入され、ガイド溝を、二つのガイドレール沿いにスライドするように設けられており、該凹面型シートのスライド側には、ガイド溝の下引っ掛け部を引っ掛けるために延ばされた下フック、凸面型シートのスライド側には、ガイド溝の上引っ掛け部を引っ掛けるために伸ばされた上フックが設けられており、
該駆動ユニットは、少なくとも一つの駆動モーター、及び該駆動モーターとスライド式遮蔽シートユニットを連結させるための伝動ユニットが設けられていることを特徴とする自動伸縮式多層テント。
【請求項２】
該二つのガイドレールは更に、第二層ガイド溝、及び該第二層ガイド溝に対してスライド可能に取り付けられた第二層スライド式遮蔽シートユニットを備えてなり、該第二層スライド式遮蔽シートユニットと該スライド式遮蔽シートユニットとの間には段差部があり、該段差部は、上向き延出折曲縁と下向き延出折曲縁が相互に掛かり合い、連動するように設けられており、該二つのガイドレールのガイド溝の底面には更に、少なくとも一つの排水口があり、該排水口は、排水管と接続されていることを特徴とする請求項１に記載の自動伸縮式多層テント。
【請求項３】
該駆動ユニットの伝動ユニットは、複数のキャスター、及び該複数のキャスターの間を回るように設けられる環状ケーブルを備えてなり、該複数のキャスターはペアで、間隔を開けて、該スライド式遮蔽シートユニットの伸縮方向の対向した両側に設けられ、その一つのキャスターが駆動モーターに動かされるように設けられ、該環状ケーブルの一箇所は、該スライド式遮蔽シートユニットの最端部にある凹面型シートの片側の掛合折曲縁と接続するように設けられていることを特徴とする請求項２に記載の自動伸縮式多層テント。
【請求項４】
該駆動ユニットの駆動モーターは更に、少なくとも、雨感知器又は煙感知器のいずれか一つに電気的に接続していることを特徴とする請求項３に記載の自動伸縮式多層テント。
【請求項５】
該凹面型シートのスライド側にある下フック、及び凸面型シートのスライド側にある上フックには更に、ローラーが設けられ、それに対応して、該ガイド溝の下引っ掛け部とガイド溝の上引っ掛け部に、該ローラーが回転して走行するためのガイドレールが設けられていることを特徴とする請求項４に記載の自動伸縮式多層テント。
【考案の詳細な説明】
【技術分野】
【０００１】
本考案はテント構造に関わり、特にオリジナルな自動伸縮式多層テントの構造形態に関する。
【背景技術】
【０００２】
日よけ、雨よけなどのために、既有の住宅や商業施設の外部にテントが設置されているところがよく見かけられる。
【０００３】
しかし、従来のよくあるテント商品の構造は設計上、やはり不十分なところがあり、それについて次のように説明するが、従来のテントタイプは、軟質テントと硬質テントのニつに大別されるが、軟質テントは多く、防水キャンバスで作られ、通常、ローラー装置に屈曲フレームからなる構造設計によって、遮へい面積への展開縮小・調整を行うように設けられており、このような従来のテントは、面積を最小限に収納できるのが長所だが、頑丈さや耐久性の不足という欠点があり、キャンバス地では風や日差し、雨などによる色褪せ、脆化や破損などが起こるものだから、そこで、遮へい効果が悪くなる上に、外観全体にもマイナスな影響を及ぼすということから、それが、見た目のよさを重視する店舗にも、かなり大きなダメージを与えてしまうだろうと思われる。他方の硬質テントのタイプは通常、固定式かつ剛性な構造形態に設けられ、使用の時、頑丈で耐用性がよいという長所があるが、変化に柔軟に対応しかねるという問題点があり、そうすると、遮へい面積に限られ、様々な使用者のニーズに対応することはできず、例えば、遮へいする必要がない場合、該硬質テントでは、その面積を縮小することはできず、不用で顕著な存在になってしまい、逆に、設置面積が不足して、遮へいする必要がある場合は、設置効果を確実に果たすことができない問題もある。
【０００４】
それゆえ、上述したような従来のテント構造に存在する問題点について、どのように、丈夫で使用状況に柔軟に対応でき、より理想的で実用性のあるオリジナルなものを開発するのが、関連業者が努力して開発する目標と方向である。
【０００５】
それに鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００６】
本考案は、自動伸縮式多層テントを提供することを目的とし、解決しようとする技術的課題は、より理想的で実用性のある、オリジナルなテントの構造形態を開発することにある。
【課題を解決するための手段】
【０００７】
二つのガイドレール、該二つのガイドレールの間に対してスライド可能に設けられたスライド式遮蔽シートユニット及び駆動ユニットを備えてなる該自動伸縮式多層テントであり、本考案の課題を解決しようとする技術特徴として、該自動伸縮式多層テントは、二つのガイドレール、及び二つのガイドレールの間に対してスライド可能で取り付けられたスライド式遮蔽シートユニットを備えてなり、二つのガイドレールは、挿入口付きのガイド溝、及びそれぞれ、ガイド溝の上下部にある上引っ掛け部と下引っ掛け部を備えてなり、スライド式遮蔽シートユニットは、複数の凹面型シートと凸面型シートを備えてなり、該凹面型シートと凸面型シートはどれも、二つの掛合折曲縁及び二つの掛合折曲縁の間にある一つの板面があり、凹面型シートと凸面型シートとの間は、二者の対応した掛合折曲縁によって、相互に掛かり合い、連動するようになっており、凹面型シートと凸面型シートの対向した両側にはどれも、スライド側があり、それぞれ、二つのガイドレールの挿入口から挿入され、ガイド溝を、二つのガイドレール沿いにスライドするように設けられており、該凹面型シートのスライド側には、ガイド溝の下引っ掛け部を引っ掛けるために延ばされた下フック、凸面型シートのスライド側には、ガイド溝の上引っ掛け部を引っ掛けるために伸ばされた上フックが設けられており、該駆動ユニットは、少なくとも一つの駆動モーター、及び該駆動モーターとスライド式遮蔽シートユニットを連結させるための伝動ユニットが設けられ、該駆動モーターの稼動によって、該伝動ユニットを動かし、該スライド式遮蔽シートユニットの複数の凹面型シートと凸面型シートを、二つのガイドレールに沿ってスライドさせ、相互に掛かり合わせて、遮へい面積を展開させるようにし、または、凹面型シートと凸面型シートを、相互の掛合折曲縁を他方の板面に縮み込んで、遮へい面積を縮小させるように設けられることを特徴とする該自動伸縮式多層テント。
【０００８】
このようなオリジナルな設計による本考案は背景技術に対して、該複数の凹面型シートと凸面型シートは、二つのガイドレール沿いにスライドし、相互に掛かり合い、遮へい面積を展開させるようにし、または凹面型シートと凸面型シートは、相互の掛合折曲縁が他方の板面に縮み込んで、遮へい面積を縮小させるようにし、複数シートのテントの遮へい面にスライド式伸縮機能を持たせるように設けられ、頑丈さ、耐久性があり、見た目がよく、最適な日当たりや通気性があり、排水の流れもよく、使用上の変化に柔軟に対応できるという実用性と進歩性がある。
【考案の効果】
【０００９】
本考案に掲示された「自動伸縮式多層テント」は、該二つのガイドレール、スライド式遮蔽シートユニットを備えてなり、該スライド式遮蔽シートユニットは、相互に掛かり合い、スライドするように設けられる凹面型シートと凸面型シートを備えてなり、このようなオリジナルな構造形態と技術特徴による本考案は［背景技術］に述べられた従来の構造に対して、該複数の凹面型シートと凸面型シートは、二つのガイドレール沿いにスライドし、相互に掛かり合い、遮へい面積を展開させるようにし、または凹面型シートと凸面型シートは、相互の掛合折曲縁が他方の板面に縮み込んで、遮へい面積を縮小させるようにし、複数シートのテントの遮へい面にスライド式伸縮機能を持たせるように設けられ、頑丈さ、耐久性があり、見た目がよく、最適な日当たりや通気性があり、排水の流れもよく、使用上の変化に柔軟に対応できるという実用性と進歩性がある。
【図面の簡単な説明】
【００１０】
【図１】本考案結構の好適な実施例の組立立体図。
【図２】本考案結構の好適な実施例における部分構造体の分解立体図。
【図３】本考案結構の好適な実施例の部分構造体の縦向き断面図。
【図４】本考案結構の好適な実施例のスライド式遮蔽シートユニットの展開・縮小を行わせるための部分凹面型シートと凸面型シートの断面図。
【図５】本考案の好適な実施例のスライド式遮蔽シートユニットを最大遮へい面積に展開させた状態のイメージ。
【図６】本考案の好適な実施例のスライド式遮蔽シートユニットを縮小するイメージ一。
【図７】本考案の好適な実施例のスライド式遮蔽シートユニットを縮小するイメージ二。
【図８】本考案の好適な実施例のスライド式遮蔽シートユニットを最小遮へい面積に縮小させた状態のイメージ。
【図９】本考案のガイドレールガイド溝の底面に更に排水口、排水管が設けられた実施例図。
【図１０】本考案の構造形態のもう一つの実施例図。
【図１１】本考案の自動伸縮式多層テントを屋根構造に用いられた場合の実施例図。
【図１２】本考案の部分構造形態のもう一つの変化実施例図。
【考案を実施するための形態】
【００１１】
図１〜図４に示すのは、本考案の自動伸縮式多層テントの好適な実施例だが、これらの実施例は説明のみに用いられるもので、出願の際、それらに構造に制限されないとする。二つのガイドレール１０、該二つのガイドレール１０の間に対してスライド可能に取り付けられたスライド式遮蔽シートユニット２０及び駆動ユニット３０を備えてなり、該二つのガイドレール１０は、挿入口１１付きの少なくとも一つのガイド溝１２、及びそれぞれ、該ガイド溝１２の上下部にある上引っ掛け部１３と下引っ掛け部１４を備えてなり、該スライド式遮蔽シートユニット２０は、複数の凹面型シート２１と凸面型シート２２を備えてなり、該凹面型シート２１と凸面型シート２２はどれも、二つの掛合折曲縁２１３、２２３、及び二つの掛合折曲縁２１３、２２３の間にある一つの板面２１５、２２５があり、該凹面型シート２１と凸面型シート２２との間は、二者の対応した掛合折曲縁２１３、２２３によって、相互に掛かり合い、連動するようになっており（詳しくは図４参照）、凹面型シート２１と凸面型シート２２の対向した両側にはどれも、スライド側２１７、２２７があり、それぞれ、二つのガイドレール１０の挿入口１１から挿入され、ガイド溝１２を、二つのガイドレール１０沿いにスライドするように設けられており、該凹面型シート２１のスライド側２１７には、ガイド溝１２の下引っ掛け部１４を引っ掛けるために延ばされた下フック２１９、凸面型シート２２のスライド側２２７には、ガイド溝１２の上引っ掛け部１３を引っ掛けるために伸ばされた上フック２２９が設けられており、該駆動ユニット３０は、少なくとも一つの駆動モーター３１、及び該駆動モーター３１とスライド式遮蔽シートユニット２０を連結させるための伝動ユニット３２が設けられており、該駆動モーター３１の稼動によって、該伝動ユニット３２を動かし、該スライド式遮蔽シートユニット２０の複数の凹面型シート２１と凸面型シート２２を、二つのガイドレール１０に沿ってスライドさせ、相互に掛かり合わせて、遮へい面積を展開させるようにし、または、凹面型シート２１と凸面型シート２２を、相互の掛合折曲縁２１３、２２３を、他方の板面２２５、２１５に縮み込ませて、遮へい面積を縮小させるようにし、複数シートのあるテントの遮へい面にスライド式伸縮機能を持たせるように設けられていることを特徴とする。
【００１２】
図２、図３に示すように、該二つのガイドレール１０は更に、第二層ガイド溝１２Ｂ、及び該第二層ガイド溝１２Ｂに対してスライド可能に取り付けられた第二層スライド式遮蔽シートユニット２０Ｂを備えてなり、該第二層スライド式遮蔽シートユニット２０Ｂと該スライド式遮蔽シートユニット２０との間には段差部があり、該段差部は、上向き延出折曲縁２３と下向き延出折曲縁２４が相互に掛かり合い、連動するように設けられており、図８に示すように、該ガイドレール１０のガイド溝１２の底面には更に、少なくとも一つの排水口２５があり、該排水口２５は、排水管２６と接続されている。
【００１３】
図１、図２に示すように、該駆動ユニット３０の伝動ユニット３２は、複数のキャスター３２１、及び該複数のキャスター３２１の間を回るように設けられる環状ケーブル３２２を備えてなり、該複数のキャスター３２１はペアで、間隔を開けて、該スライド式遮蔽シートユニット２０の伸縮方向の対向した両側に設けられ、その一つのキャスター３２１が駆動モーター３１に動かされるように設けられ、該環状ケーブル３２２の一箇所は、該スライド式遮蔽シートユニット２０の最端部にある凹面型シート２１の片側の掛合折曲縁２１３Ｂと接続するように設けられている（図２）。
【００１４】
上述した構造、組立設計により、本考案の構造の好適な実施例の使用作動は次のように説明されるが、本考案に掲示された自動伸縮式多層テントＡは実際使用上、該スライド式遮蔽シートユニット２０における複数の凹面型シート２１と凸面型シート２２が、二つのガイドレール１０沿いにスライドし、二者の対応した掛合折曲縁２１３、２２３が相互に掛かり合い、連動するという技術特徴で、スライド式遮蔽シートユニット２０全体の遮へい面積への展開縮小・調整を行うように設けられており、これは図５〜図７の形態変化に示すように、これらの該ガイドレール１０に設けられるスライド式遮蔽シートユニット２０及び第二層スライド式遮蔽シートユニット２０Ｂという実施形態を例として、図５に示すのは、該スライド式遮蔽シートユニット２０、第二層スライド式遮蔽シートユニット２０Ｂの凹面型シート２１と凸面型シート２２が最大遮へい面積に展開された状態、図６は、該スライド式遮蔽シートユニット２０が最小に縮小し、それに続いて第二層スライド式遮蔽シートユニット２０Ｂの下方に向けて縮み込む状態、図７は、スライド式遮蔽シートユニット２０が完全に第二層スライド式遮蔽シートユニット２０Ｂの下方に重ね、縮み込んだ最小遮へい面積状態、そこで、その遮へい面積は図５に示すような三分の二ぐらいが縮小されるが、それを見て分かるように、本考案に掲示された自動伸縮式多層テントＡは、剛性構造（例えば、金属、硬質プラスチック、木などの剛性構造）の下で、遮へい面積の変化が柔軟に展開縮小、調整ができるという優れた特色のある実用性・進歩性があり、そうすると、頑丈さ、耐久性があり、見た目がよく、柔軟に調整できることを兼ねたオリジナルなテントの構造形態を使用者に提供できること。実際応用上、店舗の玄関、住宅の庭、車庫など、種々の空間の雨除け、日よけの構造体として用いられるが、本考案の自動伸縮式多層テントＡは使用しないとき、遮へい面積を大幅に縮小することができるから、空間節約が可能で、そこで、日当たりや通気性、光透過性がよく（建築基準法違反についての通報を受ける心配もなく）、使用の時、最適で最大遮へい面積を持つことができるので、使用者のニーズに確実に対応できるものである。
【００１５】
本考案に掲示された自動伸縮式多層テントＡでは、その排水機能は、従来の場合と異なり、雨は該スライド式遮蔽シートユニット２０に落ちると、各凸面型シート２２の表面にある雨が凹面型シート２１の高めの所から低めの所の板面２１５エリアへ流れ込み（図８のＬ１）、それから、凹面型シート２１両側のスライド側２１７から延ばされた下フック２１９がガイド溝１２の下引っ掛け部１４を引っ掛けていることで、凹面型シート２１の板面２１５エリアへ流れ込んだ雨が下フック２１９に沿って、二つのガイドレール１０のガイド溝１２へと流れ込んで、更に、導流式の排水（図８参照）が行われることになっており、それゆえ、本考案は使用の時、従来の雨よけテントのように、雨が全部、低い側から直接に滴り落ちて、大きな騒音や滝のような雨流れなどが生じるという問題点や欠点がなく、それも本考案の重要な長所の一つである。
【００１６】
図９に示すのは、該二つのガイドレール１０に二層（または二層以上）を上、下重ねて使用される実施形態であり、本実施例では、異なる層のガイドレール１０にあるスライド式遮蔽シートユニット２０は異種材料からなるものであり、例えば、上層のガイドレール１０にあるスライド式遮蔽シートユニット２０は金属材、下層のガイドレール１０にあるスライド式遮蔽シートユニット２０は、光透過性アクリル材で作られ、そうすると、異なった遮へい効果（即ち、上層は遮光性、下層は光透過性）を有し、使用者が多様化な機能を選択できるもので、それも本考案の好適な具体的な実施形態の一つである。
【００１７】
図１１に示すように、該駆動ユニット３０の駆動モーター３１は更に、少なくとも、雨感知器４０又は煙感知器５０のいずれか一つに電気的に接続し、該スライド式遮蔽シートユニット２０の開閉を自動的に制御するように設けられるが、本実施例は、該雨感知器４０、煙感知器５０の設置によって、スライド式遮蔽シートユニット２０の開閉機能を自動的に制御するように設けられており、その中、雨感知器４０の設置だが、使用者がスライド式遮蔽シートユニット２０を展開させたあと、その場にいない場合、雨が降ったとき、スライド式遮蔽シートユニット２０が自動的に展開され、閉鎖状態となり、室内を雨で濡らさせないように済むこと、該煙感知器５０の設置は、室内の煙濃度が基準値以上になったことを感知すると、スライド式遮蔽シートユニット２０が自動的に縮小、開放される状態となり、それによって、煙を排出させるための広い空間を作り、消防士が屋外から放水しやすいようになり、火事発生の時、出火屋内からの脱出率が高まり、消火などの救助率も有効に向上することを目的とする。
【００１８】
図１２に示すように、該凹面型シート２１のスライド側２１７にある下フック２１９、及び凸面型シート２２のスライド側２２７にある上フック２２９には更に、ローラー４１、４２が設けられ、それに対応して、該ガイド溝１２の下引っ掛け部１４とガイド溝１２の上引っ掛け部１３に、該ローラー４１、４２が回転して走行するためのガイドレール４３、４４が設けられており、本実施例では、該ローラー４１、４２とガイドレール４３、４４の増設によって、凹面型シート２１と凸面型シート２２の移動中に生じる摩擦力を低減させ、よりスムースに作動させ、それと同時に、駆動ユニット３０の負荷量を低下させることができる。
【００１９】
該二つのガイドレール１０とスライド式遮蔽シートユニット２０（第二層スライド式遮蔽シートユニット２０Ｂを含む）の凹面型シート２１と凸面型シート２２は、金属、硬質プラスチック、木のいずれかの材料で作られている。
【００２０】
なお、付け加えて説明しておくことだが、本考案の自動伸縮式多層テントＡは実際に取り付けるとき、既有の支柱構造に直接に固定される形態や、支柱を支持構造として増設して設けられる形態も、それは限られることがなく、いずれも具体的な実施形態に設けられる。
【符号の説明】
【００２１】
自動伸縮式多層テント  Ａ
ガイドレール          １０
挿入口                １１
ガイド溝              １２
第二層ガイド溝        １２Ｂ
上引っ掛け部          １３
下引っ掛け部          １４
スライド式遮蔽シートユニット        ２０
第二層スライド式遮蔽シートユニット  ２０Ｂ
凹面型シート          ２１
凸面型シート          ２２
掛合折曲縁            ２１３、２１３Ｂ、２２３
板面                  ２１５、２２５
スライド側            ２１７、２２７
下フック              ２１９
上フック              ２２９
上向き延出折曲縁      ２３
下向き延出折曲縁      ２４
排水口                ２５
排水管                ２６
駆動ユニット          ３０
駆動モーター          ３１
伝動ユニット          ３２
キャスター            ３２１
環状ケーブル          ３２２
雨感知器              ４０
ローラー              ４１、４２
ガイドレール          ４３、４４
煙感知器              ５０
【図１】
0003204697.tif 000003
【図２】
0003204697.tif 000004
【図３】
0003204697.tif 000005
【図４】
0003204697.tif 000006
【図５】
0003204697.tif 000007
【図６】
0003204697.tif 000008
【図７】
0003204697.tif 000009
【図８】
0003204697.tif 000010
【図９】
0003204697.tif 000011
【図１０】
0003204697.tif 000012
【図１１】
0003204697.tif 000013
【図１２】
0003204697.tif 000014